【手続補正書】
【提出日】平成20年11月21日(2008.11.21)
【手続補正１】
【補正対象書類名】特許請求の範囲
【補正対象項目名】全文
【補正方法】変更
【補正の内容】
【特許請求の範囲】
【請求項１】
人が一以上の機器を制御することを助ける方法であって、
ａ）機械的振動を検出できる振動センサーを備えた検出器を準備し、前記検出器を前記人の頭に取り付けるステップと、
ｂ）前記一以上の機器を準備するステップと、
ｃ）前記人の上歯と下歯の突然の接触により誘発された機械的振動を、前記振動センサーで検出するステップと、
ｄ）前記検出された機械的振動から電気的信号を発生させるステップと、
ｅ）電気的信号を受信可能な制御装置に前記発生させた電気的信号を伝送し、前記一以上の機器を制御する出力信号を生成させるステップとを含む方法。
【請求項２】
制御される前記一以上の機器が、電子デバイス、コンピュータ、筋肉又は神経を刺激できる機器、能動的な装具又は補助具である請求項１に記載の方法。
【請求項３】
制御される前記一以上の機器が、前記人の手の中の筋肉を刺激する電極を備えたカフスである請求項１又は請求項２に記載の方法。
【請求項４】
前記振動センサーが、骨乳様突起又は側頭下顎骨の関節を覆う、前記人の頭の側方に取り付けられる請求項１乃至請求項３のいずれか１項に記載の方法。
【請求項５】
前記振動センサーが、前記人の骨乳様突起又は側頭下顎骨の関節の前記機械的振動を検出するような位置で、前記人の頭に取り付けられる請求項１乃至請求項４のいずれか１項に記載の方法。
【請求項６】
前記振動センサーが加速度計又はマイクロホンである請求項１乃至請求項５のいずれか１項に記載の方法。
【請求項７】
前記振動センサーが、接着剤、接着テープ、伸縮性ヘッドバンド、バネ装着ヘッドピース、弾力性のあるアームを備えた眼鏡から成る群から選択される一以上の取付具を用いて、前記機械的振動を検出する前記人の頭に取り付けられる請求項１乃至請求項６のいずれか１項に記載の方法。
【請求項８】
前記振動センサーが前記人の頭の側方に取り付けられる請求項１乃至請求項７のいずれか１項に記載の方法。
【請求項９】
前記ステップ（ｃ）、ステップ（ｄ）及びステップ（ｅ）が、前記人の皮膚の下に配置されたカプセル封入物で行われる請求項１乃至請求項８のいずれか１項に記載の方法。
【請求項１０】
前記制御装置が、前記電気的信号から一時的なパターン又は強度を識別し、かつ、対応する出力信号を発生して前記一以上の機器を制御する請求項１乃至請求項９のいずれか１項に記載の方法。
【請求項１１】
前記電気的信号を増幅するステップを更に含む請求項１乃至請求項１０のいずれか１項に記載の方法。
【請求項１２】
前記電気的信号をフィルタリングすることにより、歯のクリック音と無関係の振動に対応する信号を減衰させるステップを更に含む請求項１乃至請求項１１のいずれか１項に記載の方法。
【請求項１３】
前記制御装置が論理回路を含み、前記電気的信号の、歯のクリック音に関係する成分を選択的に認識する請求項１乃至請求項１２のいずれか１項に記載の方法。
【請求項１４】
前記出力信号が、筋肉又は神経を刺激するように作動する一連の電気パルスを発生させる信号発生器に向けられる請求項１乃至請求項１３のいずれか１項に記載の方法。
【請求項１５】
前記ステップ（ｅ）において、前記電気的信号又は前記出力信号が有線の、無線の又はファイバー光学伝送器、又は受動中継器を用いて伝送され、
前記制御装置は、前記伝送された電気的信号を受信できる受信器を含む請求項１乃至請求項１４のいずれか１項に記載の方法。
【請求項１６】
人が一以上の機器を制御することを助ける装置であって、
人の上歯及び下歯の突然の接触により誘発された機械的振動を検出することができ、かつ、その検出した機械的振動から前記一以上の機器に伝送するための電気的信号を発生させることができる振動センサーを有する検出器と、
前記検出器に結合され、前記電気的信号を伝送する伝送手段と、
前記伝送された電気的信号を受信し、その電気的信号に応じて前記一以上の機器を制御する出力信号を生成する制御装置と、
ｉ．前記機械的振動を検出するために前記振動センサーを前記人の頭に取り付けるための取付具、又は
ｉｉ．骨乳様突起を覆う、又は側頭下顎骨の関節を覆う皮膚の下に前記振動センサーを配置するためのカプセルのいずれかとを含む装置。
【請求項１７】
制御される前記一以上の機器が、電子デバイス、コンピュータ、筋肉又は神経を刺激できる機器、能動的な装具又は補助具である請求項１６に記載の装置。
【請求項１８】
制御される前記一以上の機器が、前記人の手の筋肉を刺激することができるカフスである請求項１６又は請求項１７に記載の装置。
【請求項１９】
制御される前記一以上の機器が、前記人の手の筋肉を刺激する電極を備えたカフスである請求項１６乃至請求項１８のいずれか１項に記載の装置。
【請求項２０】
前記取付具が、前記振動センサーを、骨乳様突起を覆って、又は側頭下顎骨の関節を覆って、前記人の頭の側方に取り付けるように構成されている請求項１６乃至請求項１９のいずれか１項に記載の装置。
【請求項２１】
前記取付具が、前記人の骨乳様突起又は側頭下顎骨の関節の前記機械的振動を感知するような位置で、前記振動センサーを前記人の頭に取り付けるように構成されている請求項１６乃至請求項２０のいずれか１項に記載の装置。
【請求項２２】
前記振動センサーが加速度計又はマイクロホンである請求項１６乃至請求項２１のいずれか１項に記載の装置。
【請求項２３】
前記取付具が、接着剤、接着テープ、伸縮性ヘッドバンド、バネ装着ヘッドピース、弾力性のあるアームを備えた眼鏡から成る群から選択される請求項１６乃至請求項２２のいずれか１項に記載の装置。
【請求項２４】
前記取付具が、前記振動センサーを前記人の頭の側方に取り付けるように構成されている請求項１６乃至請求項２３のいずれか１項に記載の装置。
【請求項２５】
前記伝送手段を前記皮膚の下に配置するためのカプセルを更に含む請求項１６乃至請求項２４のいずれか１項に記載の装置。
【請求項２６】
前記制御装置が、前記電気的信号から一時的なパターン又は強度を識別し、かつ、対応する出力信号を発生して前記一以上の機器を制御する請求項１６乃至請求項２５のいずれか１項に記載の装置。
【請求項２７】
前記電気的信号を増幅するための増幅器を更に含む請求項１６乃至請求項２６のいずれか１項に記載の装置。
【請求項２８】
歯のクリック音と無関係の振動に対応する信号を減衰させるように前記電気的信号をフィルタリングするためのフィルターを更に含む請求項１６乃至請求項２７のいずれか１項に記載の装置。
【請求項２９】
前記制御装置が論理回路を含み、前記電気的信号の歯のクリック音に関連する成分を選択的に認識する請求項２６乃至請求項２８のいずれか１項に記載の装置。
【請求項３０】
前記出力信号が、筋肉又は神経を刺激するように作動する一連の電気パルスを発生させる信号発生器に向けられる請求項２６乃至請求項２９のいずれか１項に記載の装置。
【請求項３１】
前記伝送手段が有線の、無線の又は光ファイバー伝送器、又は受動中継器であり、
前記制御装置が、前記伝送された電気的信号を受信できる受信器を含む請求項２６乃至請求項３０のいずれか１項に記載の装置。
【手続補正２】
【補正対象書類名】明細書
【補正対象項目名】０００４
【補正方法】変更
【補正の内容】
【０００４】
本発明は、主として身体障害者のニーズを取り入れるとの観点から開発された装置又は方法であり、人が一以上の機器を制御することを助ける装置又は方法である。
【手続補正３】
【補正対象書類名】明細書
【補正対象項目名】０００５
【補正方法】変更
【補正の内容】
【０００５】
本発明の１つの態様は、人が一以上の機器を制御することを助ける方法であって、ａ）機械的振動を検出できる振動センサーを備えた検出器を準備し、この検出器を上記人の頭に取り付けるステップと、ｂ）上記一以上の機器を準備するステップと、ｃ）上記人の上歯と下歯の突然の接触により誘発された機械的振動を、上記振動センサーで検出するステップと、ｄ）上記検出された機械的振動から電気的信号を発生させるステップと、ｅ）電気的信号を受信可能な制御装置に上記発生させた電気的信号を伝送し、上記一以上の機器を制御する出力信号を生成させるステップとを含む。
【手続補正４】
【補正対象書類名】明細書
【補正対象項目名】０００６
【補正方法】変更
【補正の内容】
【０００６】
本発明の別の態様は、人が一以上の機器を制御することを助ける装置であって、人の上歯及び下歯の突然の接触により誘発された機械的振動を検出することができ、かつ、その検出した機械的振動から前記一以上の機器に伝送するための電気的信号を発生させることができる振動センサーを有する検出器と、上記検出器に結合され、上記電気的信号を伝送する伝送手段と、上記伝送された電気的信号を受信し、その電気的信号に応じて上記一以上の機器を制御する出力信号を生成する制御装置と、ｉ．上記機械的振動を検出するために上記振動センサーを上記人の頭に取り付けるための取付具、又は、ｉｉ．骨乳様突起又は側頭下顎骨の関節を覆う皮膚の下に配置するための、上記振動センサーのカプセル封入物のいずれかとを含む。